【手続補正書】
【提出日】平成27年11月19日(2015.11.19)
【手続補正１】
【補正対象書類名】明細書
【補正対象項目名】００１４
【補正方法】変更
【補正の内容】
【００１４】
上記の課題を達成するための具体的手段は、以下の通りである。
＜１＞  溶融樹脂を押し出す押出口を有するシリンダと、シリンダ内に回転可能に配された外径φ１００ｍｍ以上の２つのスクリュと、第１の冷媒給排口、及びシリンダ内の溶融樹脂と熱交換する冷媒が流通する冷媒流路を有し、シリンダ壁に（好ましくは、シリンダ壁内にシリンダ周囲に沿って）配設された冷却系統と、溶融樹脂流通方向における、シリンダの押出口の下流側で、かつ溶融樹脂をフィルム製膜するためのフィルム製膜装置上流側に配置され、押出口から押し出された溶融樹脂の温度を検出する温度検出手段と、冷媒の第１の冷媒給排口への供給量を調節することにより、温度検出手段で検出された溶融樹脂の温度と樹脂設定温度との温度差を、予め定められた閾値（所定の閾値）以下に制御する樹脂温度制御手段と、を備えた二軸押出装置である。
＜２＞  溶融樹脂流通方向における、シリンダの押出口の下流側で、かつ溶融樹脂をフィルム製膜するためのフィルム製膜装置上流側に、溶融樹脂が流通する樹脂流通管を有し、温度検出手段は、少なくとも、樹脂流通管の内壁面から１０ｍｍ以上離れた管内部に配置された測温部と、測温部の破損を防ぐ破損防止材と、を有する＜１＞に記載の二軸押出装置である。
＜３＞  冷媒は、蒸発潜熱により溶融樹脂と熱交換する作動流体である＜１＞又は＜２＞に記載の二軸押出装置である。
【手続補正２】
【補正対象書類名】明細書
【補正対象項目名】００１７
【補正方法】変更
【補正の内容】
【００１７】
＜１０＞  回転可能に配された外径φ１００ｍｍ以上の２つのスクリュを備えたシリンダ内で溶融される樹脂の温度を制御しながら、熱可塑性樹脂を溶融する工程と、溶融された熱可塑性樹脂を成形ダイより膜状に押出す工程と、押出された熱可塑性樹脂を冷却ロール上で固化する工程と、を有し、
溶融する工程は、シリンダの押出口から押し出された溶融樹脂の温度を、膜状に押出す工程前に検出し、検出された溶融樹脂の温度と樹脂設定温度との温度差を、シリンダ壁に配設された冷却系統に供給される冷媒の供給量を調節することにより、予め定められた閾値以下に制御する、フィルム製造方法である。
＜１１＞  冷媒は、蒸発潜熱により溶融樹脂と熱交換する作動流体である＜１０＞に記載のフィルム製造方法である。
＜１２＞  溶融する工程は、冷媒の供給量を０．００１Ｌ／樹脂１ｋｇ〜０．１５０Ｌ／樹脂１ｋｇの範囲で調節する＜１０＞又は＜１１＞に記載のフィルム製造方法である。
＜１３＞  冷媒が水である＜１０＞〜＜１２＞のいずれか１つに記載のフィルム製造方法である。
＜１４＞  溶融する工程は、冷媒の冷却系統への供給を、１０秒／回以上１２０秒／回以下の周期で供給時間（秒／回）を周期の０％超４０％以下として断続的に行なうことにより、溶融樹脂の温度と樹脂設定温度との温度差を予め定められた閾値以下に制御する＜１０＞〜＜１３＞のいずれか１つに記載のフィルム製造方法である。
＜１５＞  溶融する工程は、フィルム製膜装置で製膜された樹脂フィルムのヘイズ値が予め定められた上限閾値Ｑ１を超える又はフィルム製膜装置で製膜された樹脂フィルムのヘイズ値の変動率が予め定められた閾値Ｑ３を超える場合は、樹脂設定温度を上げ、
フィルム製膜装置で製膜された樹脂フィルムのヘイズ値が予め定められた下限閾値Ｑ２未満である場合は、樹脂設定温度を下げる、＜１０＞〜＜１４＞のいずれか１つに記載のフィルム製造方法である。
＜１６＞  溶融する工程は、溶融樹脂の温度と樹脂設定温度との温度差が予め定められた時間内に予め定められた閾値以下に達しない場合には、スクリュの回転数を変化させることにより、溶融樹脂の温度を樹脂設定温度に制御する＜１０＞〜＜１５＞のいずれか１つに記載のフィルム製造方法である。
＜１７＞  冷却系統は、第１の冷媒給排口、冷媒が流通する冷媒流路、冷媒を冷媒流路から排出する第２の冷媒給排口、及び冷媒の流通方向を切り換える流通切換弁を有し、
溶融する工程は、流通切換弁を切り換えることにより、冷媒を第１の冷媒給排口に供給して第２の冷媒給排口から排出する第１の冷却と、冷媒を第２の冷媒給排口に供給して第１の冷媒給排口から排出する第２の冷却と、を予め定められた周期で切り換える＜１０＞〜＜１６＞のいずれか１つに記載のフィルム製造方法である。
【手続補正３】
【補正対象書類名】特許請求の範囲
【補正対象項目名】全文
【補正方法】変更
【補正の内容】
【特許請求の範囲】
【請求項１】
溶融樹脂を押し出す押出口を有するシリンダと、
前記シリンダ内に回転可能に配された外径φ１００ｍｍ以上の２つのスクリュと、
第１の冷媒給排口、及びシリンダ内の溶融樹脂と熱交換する冷媒が流通する冷媒流路を有し、シリンダ壁に配設された冷却系統と、
溶融樹脂流通方向における、シリンダの前記押出口の下流側で、かつ溶融樹脂をフィルム製膜するためのフィルム製膜装置上流側に配置され、前記押出口から押し出された溶融樹脂の温度を検出する温度検出手段と、
前記冷媒の前記第１の冷媒給排口への供給量を調節することにより、前記温度検出手段で検出された溶融樹脂の温度と樹脂設定温度との温度差を、予め定められた閾値以下に制御する樹脂温度制御手段と、
を備えた二軸押出装置。
【請求項２】
溶融樹脂流通方向における、シリンダの前記押出口の下流側で、かつ溶融樹脂をフィルム製膜するためのフィルム製膜装置上流側に、溶融樹脂が流通する樹脂流通管を有し、
前記温度検出手段は、少なくとも、前記樹脂流通管の内壁面から管内部方向に１０ｍｍ以上離れた位置に配置された測温部と、該測温部の破損を防ぐ破損防止材と、を有する請求項１に記載の二軸押出装置。
【請求項３】
前記冷媒は、蒸発潜熱により溶融樹脂と熱交換する作動流体である請求項１又は請求項２に記載の二軸押出装置。
【請求項４】
前記樹脂温度制御手段は、前記冷媒の前記第１の冷媒給排口への供給量を、０．００１Ｌ／樹脂１ｋｇ〜０．１５０Ｌ／樹脂１ｋｇの範囲で調節する請求項１〜請求項３のいずれか１項に記載の二軸押出装置。
【請求項５】
前記冷媒が水である請求項１〜請求項４のいずれか１項に記載の二軸押出装置。
【請求項６】
前記樹脂温度制御手段は、前記冷媒の前記第１の冷媒給排口への供給を、１０秒／回以上１２０秒／回以下の周期で供給時間を前記周期の０％超４０％以下として断続的に行なうことにより、溶融樹脂の温度と樹脂設定温度との温度差を、予め定められた閾値以下に制御する請求項１〜請求項５のいずれか１項に記載の二軸押出装置。
【請求項７】
前記樹脂温度制御手段は、フィルム製膜装置で製膜された樹脂フィルムのヘイズ値が予め定められた上限閾値Ｑ１を超える又はフィルム製膜装置で製膜された樹脂フィルムのヘイズ値の変動率が予め定められた閾値Ｑ３を超える場合は、樹脂設定温度を上げ、
フィルム製膜装置で製膜された樹脂フィルムのヘイズ値が予め定められた下限閾値Ｑ２未満である場合は、樹脂設定温度を下げる、請求項１〜請求項６のいずれか１項に記載の二軸押出装置。
【請求項８】
前記樹脂温度制御手段は、溶融樹脂の温度と樹脂設定温度との温度差が予め定められた時間内に予め定められた閾値以下に達しない場合には、スクリュの回転数を変化させることにより、溶融樹脂の温度を樹脂設定温度に制御する請求項１〜請求項７のいずれか１項に記載の二軸押出装置。
【請求項９】
前記冷却系統は、更に、冷媒を前記冷媒流路から排出する第２の冷媒給排口、及び冷媒の流通方向を切り換える流通切換弁を有し、
前記樹脂温度制御手段は、前記流通切換弁を切り換えることにより、冷媒を前記第１の冷媒給排口に供給して前記第２の冷媒給排口から排出する第１の冷却と、冷媒を前記第２の冷媒給排口に供給して前記第１の冷媒給排口から排出する第２の冷却と、を予め定められた周期で切り換える請求項１〜請求項８のいずれか１項に記載の二軸押出装置。
【請求項１０】
回転可能に配された外径φ１００ｍｍ以上の２つのスクリュを備えたシリンダ内で溶融される樹脂の温度を制御しながら、熱可塑性樹脂を溶融する工程と、
溶融された熱可塑性樹脂を成形ダイより膜状に押出す工程と、
押出された熱可塑性樹脂を冷却ロール上で固化する工程と、
を有し、
前記溶融する工程は、前記シリンダの押出口から押し出された溶融樹脂の温度を、前記膜状に押出す工程前に検出し、検出された溶融樹脂の温度と樹脂設定温度との温度差を、シリンダ壁に配設された冷却系統に供給される冷媒の供給量を調節することにより、予め定められた閾値以下に制御する、フィルム製造方法。
【請求項１１】
前記冷媒は、蒸発潜熱により溶融樹脂と熱交換する作動流体である請求項１０に記載のフィルム製造方法。
【請求項１２】
前記溶融する工程は、前記冷媒の供給量を０．００１Ｌ／樹脂１ｋｇ〜０．１５０Ｌ／樹脂１ｋｇの範囲で調節する請求項１０又は請求項１１に記載のフィルム製造方法。
【請求項１３】
前記冷媒が水である請求項１０〜請求項１２のいずれか１項に記載のフィルム製造方法。
【請求項１４】
前記溶融する工程は、前記冷媒の冷却系統への供給を、１０秒／回以上１２０秒／回以下の周期で供給時間を前記周期の０％超４０％以下として断続的に行なうことにより、溶融樹脂の温度と樹脂設定温度との温度差を、予め定められた閾値以下に制御する請求項１０〜請求項１３のいずれか１項に記載のフィルム製造方法。
【請求項１５】
前記溶融する工程は、フィルム製膜装置で製膜された樹脂フィルムのヘイズ値が予め定められた上限閾値Ｑ１を超える又はフィルム製膜装置で製膜された樹脂フィルムのヘイズ値の変動率が予め定められた閾値Ｑ３を超える場合は、樹脂設定温度を上げ、
フィルム製膜装置で製膜された樹脂フィルムのヘイズ値が予め定められた下限閾値Ｑ２未満である場合は、樹脂設定温度を下げる、請求項１０〜請求項１４のいずれか１項に記載のフィルム製造方法。
【請求項１６】
前記溶融する工程は、溶融樹脂の温度と樹脂設定温度との温度差が予め定められた時間内に予め定められた閾値以下に達しない場合には、スクリュの回転数を変化させることにより、溶融樹脂の温度を樹脂設定温度に制御する請求項１０〜請求項１５のいずれか１項に記載のフィルム製造方法。
【請求項１７】
前記冷却系統は、第１の冷媒給排口、冷媒が流通する冷媒流路、冷媒を前記冷媒流路から排出する第２の冷媒給排口、及び冷媒の流通方向を切り換える流通切換弁を有し、
前記溶融する工程は、前記流通切換弁を切り換えることにより、冷媒を前記第１の冷媒給排口に供給して前記第２の冷媒給排口から排出する第１の冷却と、冷媒を前記第２の冷媒給排口に供給して前記第１の冷媒給排口から排出する第２の冷却と、を予め定められた周期で切り換える請求項１０〜請求項１６のいずれか１項に記載のフィルム製造方法。